(57)【要約】【課題】折り畳んで収納したり展開したりするときに、フレームが勝手に動くことを位置決め構造により防ぐ自転車の折り畳み装置及びその位置決め構造を提供する。【解決手段】自転車の折り畳み装置は、第１の折り畳み部１及び第２の折り畳み部２を備える。第１の折り畳み部１は、一方の側部に第１の枢着部１１を有し、他方の側部にクイック取り外し構造１３が接続されたクイック取り外し受座を有する。第２の折り畳み部２は、第１の折り畳み部１のクイック取り外し受座に対応するようにクイック取り外し押圧孔を有し、第１の折り畳み部１の第１の枢着部１１と可動可能に枢着される側部を有する。第１の折り畳み部１の内周には、クイック取り外し受座が横設されている。【選択図】図１
0003156856.tif 000002
【実用新案登録請求の範囲】
【請求項１】
第１の折り畳み部及び第２の折り畳み部を備える自転車の折り畳み装置であって、
前記第１の折り畳み部は、一方の側部に第１の枢着部を有し、他方の側部にクイック取り外し構造が接続されたクイック取り外し受座を有し、
前記第２の折り畳み部は、前記第１の折り畳み部の前記クイック取り外し受座に対応するようにクイック取り外し押圧孔を有し、前記第１の折り畳み部の前記第１の枢着部と可動可能に枢着される側部を有し、
前記第１の折り畳み部の内周には、前記クイック取り外し受座が横設されていることを特徴とする、自転車の折り畳み装置。
【請求項２】
前記クイック取り外し受座と前記第１の枢着部とは、任意の相対角度で配置されることを特徴とする、請求項１に記載の自転車の折り畳み装置。
【請求項３】
請求項１に記載の自転車の折り畳み装置と組み合わせる位置決め構造であって、
第１の折り畳み部の第１の枢着部は、一方の端部に封止端を有し、他方の端部にホールを有し、少なくとも１つの貫通孔を有するチャネルが設けられ、
前記チャネルの中に挿入する位置決め制御棒は、一方の端部にスプリングが配置され、他方の端部が前記チャネルのホールから露出され、前記貫通孔に対応した位置に対応凹部を有し、前記対応凹部の内周に対向斜面が設けられ、
前記チャネルの前記貫通孔に挿入された位置決め体が、前記位置決め制御棒の前記対応凹部以外の部分と常に接触し、
第２の折り畳み部の前記側部に設けられた第２の枢着部には、フレームの所定の折り畳み及び展開を行う位置に位置決め孔がそれぞれ設けられ、前記第１の折り畳み部に設けた前記位置決め体が前記位置決め孔に対応するように嵌着されることを特徴とする、自転車の折り畳み装置の位置決め構造。
【請求項４】
請求項１に記載の自転車の折り畳み装置と組み合わせる位置決め構造であって、
前記位置決め制御棒は、端部に前記スプリングを外嵌した後、前記第１の折り畳み部の前記第１の枢着部の箇所に設けた前記チャネルに挿入し、前記チャネルの他方の端部に設けた前記ホールから露出されることを特徴とする、請求項３に記載の自転車の折り畳み装置の位置決め構造。
【考案の詳細な説明】
【技術分野】
【０００１】
本考案は自転車の折り畳み装置及びその位置決め構造に係り、特に、クイック取り外し構造及び位置決め構造を有する自転車の折り畳み装置に関する。
【背景技術】
【０００２】
従来の折り畳み自転車は、フレームなどの適宜な部分に、クイック取り外し構造を有する折り畳み装置を取り付け、迅速に組み立てたり分離したりすることによりフレームを展開したり折り畳んだりしていた。
【０００３】
一般に従来のクイック取り外し構造は、折り畳み装置の側部に設けられているため、折り畳み装置は体積が非常に大きくなった。折り畳み自転車にとって折り畳み装置は重要な部分であったが、サイズが非常に大きい上、見た目が好ましくなかった。
【０００４】
さらに、従来の折り畳み自転車は、折り畳んで携行したり展開したりする際、位置決め構造が設けられていないため、フレームが勝手に動く虞があった。さらに、クイック取り外し構造だけでは自転車に乗って平坦でない場所を通ったときに受ける衝撃力により、折り畳み装置が突然開いてライダーの安全が脅かされることもあった。
【０００５】
本考案は上述の点に鑑みて為されたものであり、本考案者が以前開示した自転車折り畳み装置（例えば、特許文献１）に、位置決め構造を組み合わせ、折り畳み装置によりフレームを折り畳んで携行したり展開したりした後でも位置決めを保持することができるため、外力によりフレームが勝手に動いたり変位したりする虞がない。
【先行技術文献】
【特許文献】
【０００６】
【特許文献１】実用新案登録第３０８４４９４号公報
【考案の概要】
【考案が解決しようとする課題】
【０００７】
本考案は上述の点に鑑みて為されたもので、その目的は、サイズが非常に大きく見た目が好ましくない折り畳み装置の問題点を解決することができる上、折り畳んで収納したり展開したりするときに、フレームが勝手に動くことを位置決め構造により防ぐ自転車の折り畳み装置及びその位置決め構造を提供することにある。
【課題を解決するための手段】
【０００８】
上記課題を解決するために、本考案の第１の形態によれば、第１の折り畳み部及び第２の折り畳み部を備える自転車の折り畳み装置であって、前記第１の折り畳み部は、一方の側部に第１の枢着部を有し、他方の側部にクイック取り外し構造が接続されたクイック取り外し受座を有し、前記第２の折り畳み部は、前記第１の折り畳み部の前記クイック取り外し受座に対応するようにクイック取り外し押圧孔を有し、前記第１の折り畳み部の前記第１の枢着部と可動可能に枢着される側部を有し、前記第１の折り畳み部の内周には、前記クイック取り外し受座が横設されていることを特徴とする、自転車の折り畳み装置が提供される。
【０００９】
また、前記クイック取り外し受座と前記第１の枢着部とは、任意の相対角度で配置されることが好ましい。
【００１０】
また、本考案の第１の形態の自転車の折り畳み装置と組み合わせる位置決め構造であって、第１の折り畳み部の第１の枢着部は、一方の端部に封止端を有し、他方の端部にホールを有し、少なくとも１つの貫通孔を有するチャネルが設けられ、前記チャネルの中に挿入する位置決め制御棒は、一方の端部にスプリングが配置され、他方の端部が前記チャネルのホールから露出され、前記貫通孔に対応した位置に対応凹部を有し、前記対応凹部の内周に対向斜面が設けられ、前記チャネルの前記貫通孔に挿入された位置決め体が、前記位置決め制御棒の前記対応凹部以外の部分と常に接触し、第２の折り畳み部の第２の枢着部には、フレームの所定の折り畳み及び展開を行う位置に位置決め孔がそれぞれ設けられ、前記第１の折り畳み部に設けた前記位置決め体が前記位置決め孔に対応するように嵌着されることが好ましい。
【００１１】
また、本考案の第１の形態の自転車の折り畳み装置と組み合わせる位置決め構造であって、前記位置決め制御棒は、端部に前記スプリングを外嵌した後、前記第１の折り畳み部の前記第１の枢着部の箇所に設けた前記チャネルに挿入し、前記チャネルの他方の端部に設けた前記ホールから露出されることが好ましい。
【考案の効果】
【００１２】
本考案の自転車の折り畳み装置及びその位置決め構造は、サイズが非常に大きく見た目が好ましくないという従来の折り畳み装置の問題点を解決することができる上、折り畳んで収納したり展開したりするときに、フレームが勝手に動くことを位置決め構造により防ぐことができる。
【図面の簡単な説明】
【００１３】
【図１】本考案の一実施形態による自転車の折り畳み装置及びその位置決め構造を示す斜視図である。
【図２】本考案の一実施形態による自転車の折り畳み装置及びその位置決め構造を示す分解斜視図である。
【図３】本考案の一実施形態によるクイック取り外し構造を示す断面図である。
【図４】本考案の一実施形態による位置決め構造を示す断面図である。
【図５】本考案の一実施形態による自転車の折り畳み装置及びその位置決め構造をフレームに取り付け、位置決めを展開したときの状態を示す斜視図である。
【図６】本考案の一実施形態による自転車の折り畳み装置及びその位置決め構造をフレームに取り付け、折り畳んで位置決めするときの状態を示す斜視図である。
【図７】図４の位置決め構造を使用するときの状態を示す断面図である。
【図８】本考案の一実施形態による位置決め構造を示す断面図である。
【図９】図８の位置決め構造を使用するときの状態を示す断面図である。
【図１０】本考案の一実施形態によるクイック取り外し構造を他の組立て方式により組み立てるときの状態を示す斜視図である。
【図１１】図１０の平面図である。
【考案を実施するための形態】
【００１４】
以下、本考案の実施形態について図に基づいて説明する。なお、これによって本考案が限定されるものではない。
【００１５】
図１及び図２を参照する。図１及び図２に示すように、本考案の一実施形態による自転車の折り畳み装置は、第１の折り畳み部１及び第２の折り畳み部２を含む。第１の折り畳み部１は、側部に第１の枢着部１１が設けられ、内周にクイック取り外し受座１２が横設され、クイック取り外し構造１３が接続されている（図３に示す）。
【００１６】
第２の折り畳み部２には、第１の折り畳み部１のクイック取り外し受座１２に対応するように、クイック取り外し押圧孔２１が設けられ、側部に設けられた第２の枢着部２２により、第１の折り畳み部１の第１の枢着部１１と可動可能に枢着されている。
【００１７】
位置決め構造３は、第１の折り畳み部１、チャネル１４及び第２の折り畳み部２を含む。第１の折り畳み部１の枢着部１１には、チャネル１４が設けられている。チャネル１４は、一方の端部に封止端が設けられ、他方の端部にホール１４０が設けられ、少なくとも１つの貫通孔１４１が設けられている。チャネル１４に挿入する位置決め制御棒１６は、一方の端部にスプリング１５が設けられ、他方の端部がチャネル１４のホール１４０から露出し、チャネル１４の貫通孔１４１に対応した位置に、対応凹部１６０が設けられている。この対応凹部１６０の内周の両側には、対向斜面１６１が設けられている。
【００１８】
チャネル１４の貫通孔１４１には、位置決め体１７が挿入され、位置決め制御棒１６の対応凹部１６０以外の箇所に常時接触されるように位置決め体１７が挿入されている。
【００１９】
第２の折り畳み部２の第２の枢着部２２の箇所には、所定の折り畳み及び展開を行う位置に位置決め孔３１がそれぞれ設けられている。この位置決め孔３１には、第１の折り畳み部１に設けた位置決め体１７が対応するように嵌着される。
【００２０】
図４を参照する。図４は、本考案の一実施形態による位置決め構造を示す断面図である。
【００２１】
本考案の一実施形態による第１の折り畳み部１及び第２の折り畳み部２は、フレーム４の折り畳みを行う箇所へ結合させ、クイック取り外し構造１３を緩めたり締めたりすることにより、フレームを展開したり（図５に示す）、折り畳んだりする（図６に示す）。
【００２２】
本実施形態の自転車の折り畳み装置及びその位置決め構造は、位置決め構造３を利用し、折り畳み装置を折り畳んだり展開したりする際、安全かつ容易に位置決めを行うことができる。
【００２３】
位置決め制御棒１６は、押圧すると内側に入り、位置決め体１７の下方の位置まで対応凹部１６０が移動すると、対応凹部１６０の中に位置決め体１７が完全に沈み込んで第２の折り畳み部２との位置決めが解除される。このように、第２の折り畳み部２を用いることにより、フレームを折り畳んだり展開したりすることができる（図７に示す）。
【００２４】
第２の折り畳み部２が所定の位置決め位置まで折り畳まれると、位置決め制御棒１６に加わる力が無くなり、スプリング１５により押されて復位し、位置決め体１７が位置決め制御棒１６の対向斜面１６１により押されると、位置決め制御棒１６の対応凹部１６０から浮き上がり、第２の折り畳み部２上の位置決め孔３１に嵌着して位置決めを行う。
【００２５】
図８を参照する。図８に示すように、本考案の他の実施形態による位置決め構造３は、第１の折り畳み部１の第１の枢着部１１にチャネル１４を設ける。チャネル１４は、一方の端部に封止端が設けられ、他方の端部にホール１４０が設けられる。チャネル１４には、少なくとも１つの貫通孔１４１が設けられている。位置決め制御棒１６及びスプリング１５は、チャネル１４に収納される。位置決め制御棒１６は、一方の端部にスプリング１５を外嵌した後、チャネル１４の他方の端部に設けられたホール１４０から露出される。図９に示すように、位置決め制御棒１６を矢印の方向で外へ引っ張り、位置決め体１７の下方へ対応凹部１６０が移動すると、対応凹部１６０の中に位置決め体１７が完全に沈み、第２の折り畳み部２との位置決めが解除される。これにより、必要に応じてフレームを折り畳んだり展開したりすることができる。
【００２６】
第２の折り畳み部２を所定の位置決め位置の箇所まで折り畳むときは、位置決め制御棒１６に加える力を無くす。これにより、位置決め制御棒１６が反対方向に押されて復位し、位置決め体１７が対向斜面１６１により押されて位置決め制御棒１６の対応凹部１６０から浮き上がると、第２の折り畳み部２上の位置決め孔３１に嵌着して位置決めを行う。
【００２７】
図１０は、本実施形態の他の組立て方式によるクイック取り外し構造１３を示す斜視図である。図１１は、本実施形態の他の組立て方式によるクイック取り外し構造１３を示す平面図である。図１０及び図１１に示すように、本考案の一実施形態によるクイック取り外し構造１３の主な特徴は、第１の折り畳み部１が適宜な箇所に横設されている点にある。第１の折り畳み部１は、第１の枢着部１１に対して平行又は垂直に配置したり、その他好ましい相対角度で配置したりしてもよい。
【００２８】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２９】
１      第１の折り畳み部
２      第２の折り畳み部
３      位置決め構造
４      フレーム
１１    第１の枢着部
１２    クイック取り外し受座
１３    クイック取り外し構造
１４    チャネル
１５    スプリング
１６    位置決め制御棒
１７    位置決め体
２１    クイック取り外し押圧孔
２２    第２の枢着部
３１    位置決め孔
１４０  ホール
１４１  貫通孔
１６０  対応凹部
１６１  対向斜面
【図１】
0003156856.tif 000003
【図２】
0003156856.tif 000004
【図３】
0003156856.tif 000005
【図４】
0003156856.tif 000006
【図５】
0003156856.tif 000007
【図６】
0003156856.tif 000008
【図７】
0003156856.tif 000009
【図８】
0003156856.tif 000010
【図９】
0003156856.tif 000011
【図１０】
0003156856.tif 000012
【図１１】
0003156856.tif 000013